(57)【特許請求の範囲】
【請求項１】
データを受信する方法であって、
周波数分割多重化トランスミッタの1組の周波数トーンにおいて第1のヌメロロジのシンボルを受信するステップと、
前記周波数分割多重化トランスミッタの周波数トーンの第2の組において、前記第1のヌメロロジとは異なる第2のヌメロロジのシンボルを受信するステップであって、前記第1のヌメロロジのトーンと前記第2のヌメロロジのトーンとのトーン間の間隔の比が、時間周期内に前記第1のヌメロロジおよび前記第2のヌメロロジによって送信されるシンボルの数の比に関係する整数Kである、ステップと、
前記第1のヌメロロジのトーンと前記第2のヌメロロジのトーンとの間に位置するガードバンド内のシンボルを受信するステップであって、前記ガードバンド内のシンボルが、前記第1のヌメロロジとしても前記第2のヌメロロジとしても解釈され得る波形で送信される、ステップと
を含む、方法。
【請求項２】
前記第1のヌメロロジが、ノーマル・サイクリック・プレフィックス・ヌメロロジであり、前記第2のヌメロロジが、拡張サイクリック・プレフィックス・ヌメロロジであり、前記Kが2である、請求項1に記載の方法。
【請求項３】
前記第1のヌメロロジが、ノーマル・サイクリック・プレフィックス・ヌメロロジであり、前記第2のヌメロロジが、フェムトセル・ヌメロロジであり、前記Kが4である、請求項1に記載の方法。
【請求項４】
前記ガードバンドが、Kトーンごとに間隔を空けて置かれた非ゼロデータトーンを有する、請求項１から3のうちのいずれか一項に記載の方法。
【請求項５】
第1のヌメロロジを第2のヌメロロジと多重化する方法であって、
周波数分割多重化トランスミッタの1組の周波数トーンにおいて前記第1のヌメロロジのシンボルを送信するステップと、
前記周波数分割多重化トランスミッタの周波数トーンの第2の組において、前記第1のヌメロロジとは異なる前記第2のヌメロロジのシンボルを送信するステップであって、前記第1のヌメロロジのトーンと前記第2のヌメロロジのトーンとのトーン間の間隔の比が、時間周期内に前記第1のヌメロロジおよび前記第2のヌメロロジによって送信されるシンボルの数の比に関係する整数Kである、ステップと、
前記第1のヌメロロジのトーンと前記第2のヌメロロジのトーンとの間に位置するガードバンド内のシンボルを送信するステップであって、前記ガードバンド内の前記シンボルが、前記第1のヌメロロジとしても前記第2のヌメロロジとしても解釈され得る波形で送信される、ステップと
を含む、方法。
【請求項６】
前記第1のヌメロロジが、ノーマル・サイクリック・プレフィックス・ヌメロロジであり、前記第2のヌメロロジが、拡張サイクリック・プレフィックス・ヌメロロジであり、前記Kが2である、請求項5に記載の方法。
【請求項７】
前記第1のヌメロロジが、ノーマル・サイクリック・プレフィックス・ヌメロロジであり、前記第2のヌメロロジが、フェムトセル・ヌメロロジであり、前記Kが4である、請求項5に記載の方法。
【請求項８】
前記ガードバンドが、Kトーンごとに間隔を空けて置かれた非ゼロデータトーンを有する、請求項5から7のうちのいずれか一項に記載の方法。
【請求項９】
第2のヌメロロジにより第1のヌメロロジを多重化するための装置であって、
周波数分割多重化トランスミッタの1組の周波数トーンにおいて前記第1のヌメロロジのシンボルを送信するための手段と、
前記周波数分割多重化トランスミッタの周波数トーンの第2の組において、前記第1のヌメロロジとは異なる前記第2のヌメロロジのシンボルを送信するための手段であって、前記第1のヌメロロジのトーンと前記第2のヌメロロジのトーンとのトーン間の間隔の比が、時間周期内に前記第1のヌメロロジおよび前記第2のヌメロロジによって送信されるシンボルの数の比に関係する整数Kである、手段と、
前記第1のヌメロロジのトーンと前記第2のヌメロロジのトーンとの間に位置するガードバンド内のシンボルを送信するための手段であって、前記ガードバンド内のシンボルが、前記第1のヌメロロジとしても前記第2のヌメロロジとしても解釈され得る波形で送信される、手段と
を備える、装置。
【請求項１０】
周波数分割多重化トランスミッタの1組の周波数トーンにおいて第1のヌメロロジのシンボルを受信するための手段と、
前記周波数分割多重化トランスミッタの周波数トーンの第2の組において、前記第1のヌメロロジとは異なる第2のヌメロロジのシンボルを受信するための手段であって、前記第1のヌメロロジのトーンと前記第2のヌメロロジのトーンとのトーン間の間隔の比が、時間周期内に前記第1のヌメロロジおよび前記第2のヌメロロジによって送信されるシンボルの数の比に関係する整数Kである、手段と、
前記第1のヌメロロジのトーンと前記第2のヌメロロジのトーンとの間に位置するガードバンド内のシンボルを受信するための手段であって、前記ガードバンド内のシンボルが、前記第1のヌメロロジとしても前記第2のヌメロロジとしても解釈され得る波形で送信される、手段と
を備える、装置。
【請求項１１】
請求項1から4のいずれか一項に記載の方法を実行するための命令を含む、コンピュータプログラム。
【請求項１２】
請求項5から8のいずれか一項に記載の方法を実行するための命令を含む、コンピュータプログラム。
【発明の詳細な説明】
【技術分野】
【０００１】
関連出願
本出願は、2015年12月28日に出願された米国実用特許出願第14/979,951号の利益を主張し、また2015年3月13日に出願された米国仮特許出願第62/133,201号の優先権を主張するものであり、各出願の内容全体が参照により本明細書に組み込まれる。
【０００２】
本出願は、ワイヤレス通信に関し、詳細には、波形の変調およびコーディングに関する。
【背景技術】
【０００３】
5Gモバイル標準規格が現在策定されつつあり、同標準規格が求めるのは、様々な改善点の中でもとりわけ、より高いデータ転送速度、より多数の接続、およびより良好なカバレージである。Next Generation Mobile Networks Allianceによれば、5G標準規格は、数万ユーザの各々に毎秒数十メガビットの、また1つのオフィス階にいる数十人の労働者に毎秒1ギガビットのデータレートを提供することが期待される。大規模なセンサ配備をサポートするために、数十万の同時接続がサポートされるべきである。その結果、現在の4G標準規格と比較して、5Gモバイル通信のスペクトル効率が著しく高められるべきである。さらに、現在の標準規格と比較して、シグナリング効率が高められるべきであり、レイテンシが大幅に短縮されるべきである。
【発明の概要】
【発明が解決しようとする課題】
【０００４】
したがって、異なるアプリケーション/ユーザの異なる要求を同時に満たすために、ワイヤレスデータ送信のためのより良好な送信/処理技法を開発する必要がある。
【課題を解決するための手段】
【０００５】
いくつかの実施形態によれば、送信する方法は、トーンの第1の組において第1のヌメロロジ(Numerology)に符号化された第1のデータを送信するステップとトーンの第1の組のから分離されたトーンの第2の組において第2のヌメロロジで符号化された第2のデータを送信するステップと、トーンの第1の組とトーンの第2の組を分離するガードバンドのトーンの第3の組において、第3のデータを送信するステップとを含み、第3のデータが、第1のヌメロロジまたは第2のヌメロロジのいずれかのもとで解釈可能(Interpretable)である。
【０００６】
いくつかの実施形態によるデータを受信する方法は、トーンの第1の組において第1のヌメロロジで符号化された第1のデータを受信するステップと、トーンの第1の組から分離されたトーンの第2の組において第2のヌメロロジで符号化された第2のデータを受信するステップと、トーンの第1の組とトーンの第2の組を分離するガードのトーンの第3の組において、第3のデータを受信するステップとを含み、第3のデータが、第1のヌメロロジまたは第2のヌメロロジのいずれかのもとで解釈可能である。
【０００７】
いくつかの実施形態によるトランシーバは、プロセッサに結合されたトランスミッタを含み、このトランスミッタが、プロセッサから、トーンの第1の組において第1のヌメロロジで符号化されるべき第1のデータと、トーンの第1の組から分離されたトーンの第2の組において第2のヌメロロジで符号化されるべき第2のデータと、トーンの第1の組とトーンの第2の組を分離するガードバンドのトーンの第3の組において送信されるべき第3のデータとを受信することであって、第3のデータが、第1のヌメロロジまたは第2のヌメロロジのいずれかのもとで解釈可能である、受信することと、第1のデータと、第2のデータと、第3のデータとを送信することとを行うように構成される。
【０００８】
これらおよび他の実施形態については下で、以下の図に関してより完全に論じられる。
【図面の簡単な説明】
【０００９】
【図１Ａ】Kトーンごとに非ゼロ値をもつ信号の、周波数領域波形を示す図である。
【図１Ｂ】図1Aに示す周波数領域波形の時間領域波形を示す図である。
【図２】いくつかの実施形態による、データペイロードを搬送するガードバンドを含む多重化データ送信を示す図である。
【図３】ノーマル・サイクリック・プレフィックス(NCP)・シンボルと拡張サイクリック・プレフィックス(ECP)シンボルとの間の等価性を示す図である。
【図４】ガードバンド利用状態の関数としての、チャネル間干渉(ICI)による信号対雑音(SNR)上限を、重み付け重複加算ロールオフの様々な値について示す図である。
【図５】いくつかの実施形態によるデータ送信を含んでよい、様々なデバイスを示す図である。
【図６】図5に示す様々なデバイスに含まれてよいトランシーバを示す図である。
【発明を実施するための形態】
【００１０】
本開示の実施形態およびそれらの利点は、続く詳細な説明を参照することによって、最も良く理解される。図のうちの1つまたは複数に示される同様の要素を特定するために、同様の参照番号が使用されることを理解されたい。図の縮尺は一定でない。
【００１１】
以下の説明では、いくつかの実施形態について説明する具体的な詳細が記載される。しかしながら、いくつかの実施形態は、これらの具体的な詳細のうちのいくつか、またはそのすべてがなくても実施され得ることが、当業者には明らかであろう。本明細書において開示する具体的な実施形態は、限定的ではなく例示的であることを意図したものである。ここでは具体的に説明していないが、本開示の範囲および趣旨に含まれる他の要素を、当業者なら認識できよう。
【００１２】
本説明および添付の図面は、本発明の態様および実施形態を示しており、それらは限定的なものと解釈すべきではなく、特許請求の範囲が、保護される発明を定義する。本説明および特許請求の範囲に記載の趣旨および範囲から逸脱することなく、様々な変更が加えられ得る。場合によっては、本開示を不明瞭にしないために、良く知られている構造および技法について詳細に図示または説明していない。
【００１３】
図1Aおよび図1Bはそれぞれ、送信信号の周波数領域図および時間領域図を示す。図1Aは、Kトーンごとに非ゼロ値で符号化されている、送信信号の周波数領域波形100を示す。一般に、Kの任意の値が使用され得る。図1Aに示すように、虚数スペクトル102および直交スペクトル104が示されている。同相スペクトル102のピークはIとラベル表示され、一方、直交スペクトル104のピークはQとラベル表示されている。図1Aに示すように、虚数スペクトル102および直交スペクトル104は、上で論じたようにKトーンごとに発生する非ゼロ周波数以外では、0である。
【００１４】
図1Bは、図1Aに示す周波数領域波形100に対応する時間領域波形110を示す。波形110は、同相部分114および直交部分116を含む。図1Bに示すように、波形はK回反復されて、波形反復112-1〜112-Kになる。たとえば、K=2の場合、周波数領域波形内の非ゼロ値に対応する波形は、112-1〜112-2の2回反復される。K=8の場合、波形110は、112-1〜112-8の8回反復される。この波形は、下で説明するように、部分シンボル復号可能(Partial Symbol Decodable)を確実なものにし、またスケーリングされたヌメロロジトーン、たとえば、数値サイクリック・プレフィックス(Numerical Cyclic Prefix)(NCP)トーンおよび拡張サイクリック・プレフィックス(ECP)トーンを効果的に分離するガードバンドの構築に有用である。
【００１５】
図1Aおよび図1Bに示すような離散フーリエ変換(DFT)特性を使用すると、部分シンボル復号可能直交周波数分割多重(OFDM)コーディングを使用して、異なるヌメロロジ(Numerology)を多重化すること、また異なるシンボルヌメロロジを分離するガードバンド内にデータ送信方式を提供することが可能になる。図2は、次いで多重化され得る2つのヌメロロジに関する、周波数対時間マップ200を示す。いくつかの実施形態に従って多重化されてよい2つの一般的なヌメロロジは、ノーマル・サイクリック・プレフィックス(NCP)ヌメロロジおよび拡張サイクリック・プレフィックス(ECP)・ヌメロロジである。(この例では2倍にスケーリングされている)スケーリングされたヌメロロジの場合、ECPは、1サブフレーム内で、NCPが送信する半分の数のシンボルを送信する(すなわち、1つのNCPシンボルが有する2倍の持続時間を1つのECPシンボルが有した状態で、1つのECPシンボルと同じ時間枠内で2つのNCPシンボルが送信される)。さらなる結果として、周波数分割多重(FDM)におけるECPシンボル送信のトーン間隔は、NCPシンボル送信のトーン間隔の半分になる。その結果、NCPデータを送信するのに使用されるトーンとECPデータを送信するのに使用されるトーンとの間の直交性が、失われるおそれがある。
【００１６】
多くのパラメータは、シンボル持続時間、たとえばサイクリック・プレフィックス(CP)オーバーヘッドによって決まる。したがって、スケーリングされたヌメロロジ多重化を使用して、異なるオーバーヘッド/レイテンシ/リンク性能要件を同時に満たすように2つの波形を同時に送ることが、有益となり得る。ヌメロロジの周波数バンド間のガードバンド内でデータを送信することも有益である。
【００１７】
本発明のいくつかの実施形態は、ガードバンド(GB)によって分離された、周波数分割多重(FDM)ヌメロロジ多重化を含む。データが、ガードバンド内のフレーム204において送信され得、ガードバンドは、Kトーンごとに間隔を空けて置かれた非ゼロデータトーンを有する。いくつかの実施形態では、K=2であり、したがって1つおきのトーンがゼロである。レシーバ(RX)が、ガードバンド内で送られたデータを受信し、それを、許容できるチャネル間干渉(ICI)およびシンボル間干渉(ISI)性能、ならびに適切なレイテンシを確実なものにするように処理する。一般に、ガードバンドデータは、レシーバ処理に応じて、NCPヌメロロジフレーム202またはECPヌメロロジフレーム206のいずれかからのICIによって影響を受け得る。ヌメロロジに関する主要なトレードオフは、屋外/マクロセル遅延拡散(DS)の影響により、屋内/フェムトセルの場合よりも長いサイクリック・プレフィックス(CP)長、および高いCPオーバーヘッドを招く短いシンボル持続時間が要求されることである。したがって、CPオーバーヘッドを制御するには、大きいシンボル持続時間が必要となる。
【００１８】
図2は、NCPヌメロロジフレーム202およびECPヌメロロジデータフレーム206の送信に使用される周波数バンド間のガードバンド内での、データ送信の使用を示す。NCPヌメロロジフレーム202は、トーンの第1の組において送信され、一方、ECPヌメロロジフレーム206は、トーンの第2の組によって送信される。トーンの第1の組とトーンの第2の組は、ガードバンドによって分離され、この場合、ガードバンドフレーム204は、1組のガードバンドトーンにおいて送信される。図2に示す特定の例では、ECPヌメロロジデータフレーム206は、低いほうの周波数トーンを使用して送信され、NCPヌメロロジデータフレーム202は、高いほうの周波数トーンにおいて送信される。ガードバンド内で送信されるガードバンドフレーム204は、ECPヌメロロジトーンとNCPヌメロロジトーンとの間のガードバンドトーンのところにある。
【００１９】
図2はさらに、送信されるデータシンボルの波形の個々のタイミングを示す。図示のように、ガードバンドは、上で図1Aおよび図1Bを用いて論じたように、Kトーンごとに非ゼロ送信を使用する。一例では、K=2であり、したがって波形が反復される。データは、NCPヌメロロジデータまたはECPヌメロロジデータのいずれかと見なされ、そのいずれかとして処理され得るように、ガードバンド内で送信され得る。図2に示すように、NCPと見なされるガードバンドフレーム204は、同じNCPシンボル210の反復を含み得、第1のコピーにはプレフィックス(CP)208が添付され、第2のコピーにはポストフィックス214が添付されている。いくつかの実施形態では、ガードバンドフレーム204は、両シンボルにプレフィックスCPのある2つのNCPシンボルとして解釈(interpreted)され得る。ガードバンドデータは、部分シンボル復号可能特性(またはインターリーブFDMA特性)をもつECPと見なされ得る。K=2の場合、図2に示すように、1つおきのトーンがゼロになっている状態で、送信波形が対を成して反復される。したがって、ガードバンド内のトーンは、NCPバンド内で送信されるNCPデータにもECPバンド内で送信されるECPデータにもICIを導入しない。ガードバンド内のトーンは、限られたICIを伴ってNCPフレームまたはECPフレームとして復号され得る。多重化によっては、Kは他の値に設定されてよい。具体的には、Kは、多重化されているヌメロロジに従って設定され得る。たとえば、NCPと屋内ヌメロロジを多重化する場合、Kは4に設定されてよく、したがってガードバンドデータ送信の波形が4回反復されてよい。一般に、Kは、所与の時間周期内に第1のヌメロロジおよび第2のヌメロロジによって送信されるシンボルの数の比に関係する。
【００２０】
図2に示すように、マップ200は、NCPフレーム202、ECPフレーム206、およびNCPフレーム202とECPフレーム206との間の中間トーンにおけるガードバンドフレーム204を示す。図2に示すように、NCPフレーム202は、第1のCP222、第1のシンボル224、第2のCP226、および第2のシンボル228を含む。ECPフレーム206は、ECP CP230、およびECPシンボル232を含む。図2に示すように、NCPフレーム202およびECPフレーム206は、同じ持続時間を有する。図2は、ガードバンドフレーム204も示す。ガードバンドフレーム204は、レシーバによって、NCPフレームまたはECPフレームのいずれかとして解釈され得る。
【００２１】
図3はさらに、ガードバンドフレーム204の別の配列または多重化を示す。上で論じたように、ガードバンドフレーム204は、送信データを含み得、NCPヌメロロジまたはECPヌメロロジのいずれかのもとで解釈され得る。図3に示すように、ガードバンドフレーム204は、波形セグメントidx0、idx1、idx2、およびidx3をもつ反復波形を含む。ガードバンドフレーム204は、反復波形の順序がidx3、idx0、idx1、idx2となり、反復するように、配列される。したがって、NCP解釈(NCP interpretation)のもとでは、CP208はidx3であり、NCPシンボル210は、idx0、idx1、idx2、およびidx3から形成され、CP212はidx0から形成され、NCPシンボル234は、idx1、idx2、idx3、およびidx0から形成される。しかしながら、ECP解釈(ECP interpretation)のもとで解釈される場合、ECP CP216は、idx3およびidx0であり、一方、反復されたシンボル218および220から形成されるECPシンボルは、idx1、idx2、idx3、idx0、idx1、idx2、idx3、およびidx0によって与えられる。いずれかの解釈のもとで、ガードバンドフレーム204の波形に符号化されたデータが復元され得る。
【００２２】
上で論じたように、図3は、1つおきのトーンが0になっている状態(K=2)での、ECPヌメロロジとNCPヌメロロジとの間の等価性を示す。図示のように、波形は反復され、信号セグメントidx0、idx1、idx2、およびidx3によって表される周期的に移り変わるシンボルを含む。図示のように、波形は、セグメント(idx)3から開始し、波形セグメントidx0〜idx3を2回たどり、波形セグメントidx0で終わり得る。その結果、第1のNCPシンボルは、波形セグメントidx0、idx1、idx2、idx3から形成され、一方、第2のNCPシンボルは、波形セグメントidx1、idx2、idx3、idx0から形成される(周波数における位相傾斜を伴った波形の反復、これはCPを補償しながら、時間領域における連続位相波形を確実なものにする)。図2に示す配列では、シンボル210が反復され、ポストCP214がidx0であることに留意されたい。
【００２３】
同じ波形をECPヌメロロジと見なすと、セグメントidx3およびidx0、ならびにセグメントidx1、idx2、idx3、idx0から形成される反復されたECPシンボルを含むECPが得られる。この等価性を用いて、ガードバンド内の波形は、NCPヌメロロジまたはECPヌメロロジのいずれかとして解釈され得、したがっていずれの側とも干渉しない。レシーバは、ガードバンドデータを、NCPヌメロロジまたはECPヌメロロジのいずれかとして受信し、その送信データを、ECP側またはNCP側のいずれかからのICIとともに復元し得る。
【００２４】
所与のセルは、セルのサイズおよび要件に基づいたデフォルトのヌメロロジを伴って配備される。しかしながら、上で論じたように、同じセル内に異なるヌメロロジが多重化され得る。たとえば、NCPミッションクリティカル(MiCr)ユーザ機器(UE)ヌメロロジが、場合によっては予等化とともに、レイテンシ要件を満たすために使用され得る。ECPノミナル(ECP nominal)高スループットTput UEが、低ICI/ISIノイズフロア要件を満たすために使用され得る。FDMでは、部分復号可能シンボル構造をもつガードバンド(GB)が、ICIを制御するために使用され得る。NCP MiCrヌメロロジとECPノミナルヌメロロジとの間のICIは、(たとえば1MHz未満の幅の)ガードバンドと、それに加えて重み付け重複加算(WOLA)処理(たとえばシンボル持続時間の1/16〜1/8)とによって、緩和され得る。NCP MiCrのレイテンシ要件のため、時分割多重(TDM)は、実現可能な解決策ではない。
【００２５】
上で論じたように、NCPとECPは、ガードバンドからNCPデータトーン領域またはECPデータトーン領域のいずれかへの無視できるICIを確実なものにする部分シンボル復号可能トーンをもつガードバンドによってNCPトーンとECPトーンが分離される場合、多重化され得る。残りのNCP-ECP間ICIは、WOLAおよびガードバンドの分離によって対処され得る。
【００２６】
図4は、ガードバンドサイズと、WOLAロールオフ率と、ICIとの間のトレードオフを示す。図4は、ガードバンドの関数としての、ICIによる信号対雑音比(SNR)上限のグラフ400を示す。図4に示すように、曲線402は、WOLAロールオフが0.1875の場合のSNR上限を示し、曲線404は、WOLAロールオフが0.125の場合のSNR上限を示し、曲線406は、WOLAロールオフが0.0625の場合のSNR上限を示し、曲線408は、WOLAロールオフがない場合のSNR上限を示す。図4に示すように、NCP-ECP間ICIのSNR上限は、ガードバンドが0.5MHzであり、かつWOLAロールオフ=1/16である状態で、40dBよりも大きくなり得る。
【００２７】
本明細書において開示したデータの送信は、多種多様な電子システムに組み込まれてよい。たとえば、図5に示すように、携帯電話506、ラップトップ508、およびタブレットPC510はいずれも、本明細書において開示したデータを、携帯電話基地局(cell tower)502または他のデバイスを用いて、送信および受信するように構成されてよい。具体的には、図5は、携帯電話506、ラップトップ508、およびタブレット510などのデバイスに対して、本明細書において開示したデータを送信および受信するように構成された、携帯電話基地局502を描いている。音楽プレーヤ、ビデオプレーヤ、通信デバイス、およびパーソナルコンピュータなど、他の例示的電子システムも、本開示において説明したデータを送信および受信する能力を備えて構成されてよい。
【００２８】
図6は、図5に示したようなデバイス内に含まれてよいトランシーバ600を示す。トランシーバ600は、上で開示したデータを送信および受信する。図6に示すように、トランシーバ600は、プロセッサ602によって制御されてよい。プロセッサ602は、1つまたは複数のマイクロプロセッサまたはデータを操作することの可能な他のデバイスを含んでよい。プロセッサ602は、メモリ604に結合されてよく、メモリ604は、揮発性メモリと不揮発性メモリとの任意の組合せであってよい。メモリ604は、データを記憶し、データをバッファリングするためのレジスタを提供し、プロセッサ602によって実行されるプログラム(programming)のための記憶域を提供してよい。プロセッサ602はさらに、リムーバブル記憶域608に結合されてよく、リムーバブル記憶域608は、プログラムおよびデータをメモリ604にロードするための、またはプロセッサ602によって実行もしくは操作されるプログラムおよびデータを記憶するための、ディスクドライブ、USBポート、または他のリムーバブルメモリ記憶デバイスを含んでよい。具体的には、リムーバブル記憶域608は、上で論じたデータを送信および受信するための、プロセッサ602用のプログラムを記憶した、物理的記憶媒体を受けてよい。プロセッサ602はさらに、ユーザインターフェース606に結合されてよく、ユーザはこのユーザインターフェース606を通じてトランシーバ600を監視し、トランシーバ600と相互作用することができる。
【００２９】
さらに、トランシーバ600内に示すように、プロセッサ602はデータを、アンテナ614を通じて送信するために、トランスミッタ610に供給する。トランスミッタ610は、2つのヌメロロジのデータフレームおよび多重化されたガードバンドフレームを受信し、たとえば図2Aおよび図2Bにおいて説明したように、フレームを送信する。加えて、レシーバ612がデータをプロセッサに供給してよい。レシーバ612は、アンテナ614から信号を受信し、2つのヌメロロジのデータおよび多重化されたガードバンドフレームを、プロセッサ602に供給する。
【００３０】
先の明細書では、様々な実施形態について、添付の図面を参照して説明してきた。しかしながら、添付の特許請求の範囲に記載の本発明のより広範な範囲から逸脱することなく、それらの実施形態に様々な修正および変更が加えられ得ること、また追加の実施形態が実施され得ることが明白であろう。したがって、本明細書および図面は、限定的な意味ではなく例示的な意味において考慮されるべきである。
【符号の説明】
【００３１】
100  周波数領域波形
102  虚数スペクトル、同相スペクトル
104  直交スペクトル
110  時間領域波形
112-1〜112-K  波形反復
114  同相部分
116  直交部分
200  周波数対時間マップ
202  NCPヌメロロジフレーム、NCPヌメロロジデータフレーム、NCPフレーム
204  ガードバンドフレーム
206  ECPヌメロロジフレーム、ECPヌメロロジデータフレーム、ECPフレーム
208  プレフィックス(CP)
210  NCPシンボル
212  CP
214  ポストフィックス、ポストCP
216  ECP CP
218  反復されたシンボル
220  反復されたシンボル
222  第1のCP
224  第1のシンボル
226  第2のCP
228  第2のシンボル
230  ECP CP
232  ECPシンボル
234  NCPシンボル
idx0  波形セグメント、信号セグメント
idx1  波形セグメント、信号セグメント
idx2  波形セグメント、信号セグメント
idx3  波形セグメント、信号セグメント
400  グラフ
402  曲線
404  曲線
406  曲線
408  曲線
502  携帯電話基地局
506  携帯電話
508  ラップトップ
510  タブレットPC
600  トランシーバ
602  プロセッサ
604  メモリ
606  ユーザインターフェース
608  リムーバブル記憶域
610  トランスミッタ
612  レシーバ
614  アンテナ
【図１Ａ】
0006695892.tif 000002
【図１Ｂ】
0006695892.tif 000003
【図２】
0006695892.tif 000004
【図３】
0006695892.tif 000005
【図４】
0006695892.tif 000006
【図５】
0006695892.tif 000007
【図６】
0006695892.tif 000008